(57)【要約】【課題】電子部品から引き出したフレキシブル回路基板のリードアウト部の表裏を逆転させかつ所定の方向に向けて設置することが容易かつ確実に行なえる電子部品のリードアウト部構造を提供する。【解決手段】合成樹脂フイルム上に回路パターンを形成するとともに外周に帯状であってその先端にリードアウトパターン３５を形成したリードアウト部３３を取り付けてなるフレキシブル回路基板３０を具備する。フレキシブル回路基板３０を電子部品１に内蔵すると共に、リードアウト部３３を電子部品１から外部に引き出す。リードアウト部３３の側辺から取付部３９を突出して設け、リードアウト部３３を折り返して取付部３９を電子部品１に取り付けることで、リードアウト部３３のリードアウトパターン３５を形成した面の上下を逆転し、宙空に浮いた状態に保持する。【選択図】図２
2010140985.tif 000002
【特許請求の範囲】
【請求項１】
可撓性を有する合成樹脂フイルム上に回路パターンを形成するとともに外周に帯状であってその先端に他の電子回路接続用のリードアウトパターンを形成したリードアウト部を取り付けてなるフレキシブル回路基板を具備し、
前記フレキシブル回路基板を電子部品に内蔵すると共に、リードアウト部を前記電子部品から外部に引き出し、さらに外部に引き出したリードアウト部を折り返すことでリードアウト部のリードアウトパターンを形成した面の上下を逆転してなる電子部品のリードアウト部構造において、
前記帯状のリードアウト部の側辺から取付部を突出して設け、この取付部を前記電子部品に取り付けることで、前記リードアウト部を折り返した姿勢に保持することを特徴とする電子部品のリードアウト部構造。
【請求項２】
請求項１に記載の電子部品のリードアウト部構造において、
前記電子部品は、少なくともケースの下面側に前記フレキシブル回路基板を設置し、さらにその下面側に取付支持板を取り付けて構成されており、前記リードアウト部を折り返した状態で前記リードアウト部の取付部を前記取付支持板に当接させ、この当接した部分において前記リードアウト部の取付部と前記取付支持板とを同一の取付手段によって同時に前記ケースに取り付けたことを特徴とする電子部品のリードアウト部構造。
【発明の詳細な説明】
【技術分野】
【０００１】
本発明は、各種電子部品に内蔵したフレキシブル回路基板から外部にリードアウト部を引き出してなる電子部品のリードアウト部構造に関するものである。
【背景技術】
【０００２】
従来、たとえばデジタルカメラなどの各種電子機器は、複数の一部組立電子部品を組み合わせることで組み立てられる。ここで一部組立電子部品とは、完成品である電子機器の外装の一部を構成するケースの下面側（機器内部側）にフレキシブル回路基板やその他の各種部品を設置し、ケースに取り付けた操作釦などを押圧またはスライド操作することによって前記フレキシブル回路基板の表面に形成した各種回路パターンの出力を変化させるように構成したものなどである。そしてこの種の一部組立電子部品は前記フレキシブル回路基板に設けられているリードアウト部を前記一部組立電子部品の外部に引き出し、この一部組立電子部品を他の一部組立電子部品と一体化する際に前記リードアウト部の先端を他の一部組立電子部品のコネクタなどに接続し、これによって両者の電気的接続が行われる。
【０００３】
ところでリードアウト部の先端には他の一部組立電子部品の電子回路への接続用のリードアウトパターンが形成されており、場合によっては他の一部組立電子部品との接続の都合上、リードアウトパターンを形成している面を表裏逆転させておく必要がある。そのため一部組立電子部品から引き出したリードアウト部をその途中の部分で折り返し、これによってリードアウトパターンを形成している面を表裏逆転させる場合があった。
【０００４】
そしてリードアウト部を折り返した状態に保持しておくためには折り返したリードアウト部をたとえば一部組立電子部品のいずれかの部分に固定したり、または折り返して重ね合わせたリードアウト部同士の面を両面接着シートによって貼り合わせたりしなければならない。前記リードアウト部を一部組立電子部品に固定する方法としては、リードアウト部に設けた小孔に一部組立電子部品に形成した樹脂製の小突起を挿入して小突起の先端を熱かしめする方法などがある。
【０００５】
しかしながらリードアウト部に小孔を設けて小突起に取り付ける方法の場合、帯状のリードアウト部中に多数の回路パターンが形成されていると前記小孔をリードアウト部中に形成するスペースを確保するのが困難であった。またリードアウト部を一部組立電子部品の外方に突出させて宙空に浮いた状態に設置するような場合は、リードアウト部が宙空に浮いているので、このリードアウト部を一部組立電子部品に熱かしめすること自体が困難な場合もあるという問題もあった。一方リードアウト部同士の面を両面接着シートによって貼り合わせる方法の場合は、熱や経時的な接着剤の劣化によって、貼り合わせたリードアウト部が剥がれてしまう恐れがあった。
【特許文献１】特開２００６−１２５１５号公報
【発明の開示】
【発明が解決しようとする課題】
【０００６】
本発明は上述の点に鑑みてなされたものでありその目的は、一部組立電子部品などの各種電子部品から引き出したフレキシブル回路基板のリードアウト部の表裏を逆転させかつ所定の方向に向けて設置することが容易かつ確実に行なえる電子部品のリードアウト部構造を提供することにある。
【課題を解決するための手段】
【０００７】
本願請求項１に記載の発明は、可撓性を有する合成樹脂フイルム上に回路パターンを形成するとともに外周に帯状であってその先端に他の電子回路接続用のリードアウトパターンを形成したリードアウト部を取り付けてなるフレキシブル回路基板を具備し、前記フレキシブル回路基板を電子部品に内蔵すると共に、リードアウト部を前記電子部品から外部に引き出し、さらに外部に引き出したリードアウト部を折り返すことでリードアウト部のリードアウトパターンを形成した面の上下を逆転してなる電子部品のリードアウト部構造において、前記帯状のリードアウト部の側辺から取付部を突出して設け、この取付部を前記電子部品に取り付けることで、前記リードアウト部を折り返した姿勢に保持することを特徴とする電子部品のリードアウト部構造にある。
【０００８】
本願請求項２に記載の発明は、請求項１に記載の電子部品のリードアウト部構造において、前記電子部品は、少なくともケースの下面側に前記フレキシブル回路基板を設置し、さらにその下面側に取付支持板を取り付けて構成されており、前記リードアウト部を折り返した状態で前記リードアウト部の取付部を前記取付支持板に当接させ、この当接した部分において前記リードアウト部の取付部と前記取付支持板とを同一の取付手段によって同時に前記ケースに取り付けたことを特徴とする電子部品のリードアウト部構造にある。
【発明の効果】
【０００９】
請求項１に記載の発明によれば、リードアウト部の側辺から突出して設けた取付部を電子部品に取り付けることで、容易かつ確実にリードアウト部を、その表裏を逆転させかつ所定の方向に向けて設置することができる。その際、フレキシブル回路基板のリードアウト部を電子部品よりも外方に突出させて宙空に浮いた状態に設置することが容易かつ確実に行なえる。
【００１０】
請求項２に記載の発明によれば、１つの取付手段が、ケースへの取付支持板の取り付けと、リードアウト部の取付部の電子部品への取り付けとを兼用でき、構造の簡素化が図れ、組み立て工程の簡略化も図れる。
【発明を実施するための最良の形態】
【００１１】
以下、本発明の実施形態を図面を参照して詳細に説明する。図１は本発明の１実施形態にかかる電子部品（以下「一部組立電子部品」という）１の斜視図、図２は一部組立電子部品１を下側から見た斜視図、図３はリードアウト部３３を折り返す前の一部組立電子部品１の斜視図、図４はリードアウト部３３を折り返す前の一部組立電子部品１を下側から見た斜視図である。図３，図４に示すように一部組立電子部品１は、外装ケースの一部を構成する外装ケース構成部品１０の裏面側（機器内部側）に、フレキシブル回路基板３０や図示しないその他の各種部品を設置し、さらにその下面側に取付支持板５０を取り付けて構成されている。一部組立電子部品１は、他の１または複数の同様に組み立てられた図示しない一部組立電子部品と組み合わせることで、１台の完成品である電子機器（この例では携帯機器）が組み立てられるものである。なお以下の説明において、「上（または表面側）」とは外装ケース構成部品１０のフレキシブル回路基板３０を設置した反対面側をいい、「下（または裏面側）」とは外装ケース構成部品１０のフレキシブル回路基板３０を設置した面側をいうものとする。
【００１２】
外装ケース構成部品１０は、デジタルカメラなどの携帯機器の外装ケースの一部を構成する部品であって合成樹脂を成形することによって構成され、主として４つの面Ａ１，Ａ２，Ａ３，Ａ４を有し、その所定位置（面Ａ１と面Ａ２）には各種操作釦１１，１３，１５，１７が取り付けられている。操作釦１１は回転式の操作釦、操作釦１３はスライド式の操作釦、操作釦１５は押圧式の操作釦、操作釦１７はスライド式の操作釦である。外装ケース構成部品１０の裏面の下記するビス５１の各取付位置に対向する位置には略円柱状の取付部１９が突出して設けられている。各取付部１９の先端面には図示しないねじ孔が設けられている。さらに前記外装ケース構成部品１０の裏面（面Ａ１の裏面）からは、略平板柱状の支柱２１が突出して設けられ、その先端面からは下方に向かって一対の小突起からなる取付突起２３が突出している。各取付部１９や支柱２１や取付突起２３は外装ケース構成部品１０と一体成形されている。
【００１３】
フレキシブル回路基板３０は図には明記していないが、面Ａ１と面Ａ２に対向する面を有している可撓性を有する合成樹脂フイルム（この実施形態ではポリエチレンテレフタレートフイルムを用いているが、他の各種合成樹脂フイルムを用いても良い）の上面（外装ケース構成部品１０に対向する側の面）に回路パターンを形成し、その外周辺に帯状のリードアウト部３３を突出するように接続して構成されている。リードアウト部３３はフレキシブル回路基板３０と同一の合成樹脂フイルムに形成されている。フレキシブル回路基板３０と外装ケース構成部品１０との間には、図示はしないが各種部品（たとえば前記回転式の操作釦１１やスライド式の操作釦１３，１７と一体に回転移動またはスライド移動する成形樹脂製の移動部品およびこの移動部品に取り付けられ前記フレキシブル回路基板に形成したスイッチパターンなどの摺接パターン上を摺動してその電気的出力を変化する金属製の摺動子など）が設置される。
【００１４】
リードアウト部３３はフレキシブル回路基板３０の外周辺に接続され、帯状であって、前記外装ケース構成部品１０と取付支持板５０の間から外方に向けて突出しており、その先端側の部分は同一面のままＬ字状に折れ曲がっており、その先端にはリードアウトパターン３５が形成されている。リードアウトパターン３５はリードアウト部３３の先端辺に並列に複数の接点用のパターンを露出するように形成して構成されており、前述のようにフレキシブル回路基板３０の上面に形成した回路パターンと同一の面、すなわちその上面側に形成されている。リードアウトパターン３５は図示しない他の一部組立電子部品のコネクタに挿入してこの他の一部組立電子部品の電気回路に電気的に接続するためのものである。ここでコネクタとは、一般的に、樹脂ケースの中に挟持構造を有する複数の金属端子が配置され、この樹脂ケース内にリードアウト部３３の先端を挿入した際にリードアウト部３３のリードアウトパターン３５が金属端子の挟持構造によって挟持されて両者が電気的に接続される構造のものをいうが、他の各種構造であってもよい。リードアウト部３３先端のリードアウトパターン３５を形成した面の裏面には補強用の補強板３７が接着剤などによって貼り付けられている。
【００１５】
帯状のリードアウト部３３の左右両側辺３３ａ，３３ｂの内の一方の側辺３３ａからは取付部３９が突出して形成されている。取付部３９は略Ｌ字状に同一面内で屈曲した形状を有しており、その先端側の部分はリードアウト部３３の先端側の部分が向いている方向と平行に同一方向を向いている。取付部３９の先端近傍部分には一対の小孔からなる固定部４１が設けられている。これら一対の固定部４１間のピッチは、前記外装ケース構成部品１０に設けた一対の取付突起２３間のピッチと同一になっている。
【００１６】
取付支持板５０はこの実施形態では１枚の金属板を２ヶ所で屈曲し、前記外装ケース構成部品１０の２つの面Ａ１，Ａ２を覆う形状に形成されている。この取付支持板５０は前記フレキシブル回路基板３０の前記リードアウト部３３を除く部分全体を支持する面を有し、前記外装ケース構成部品１０の各取付部１９に対向する位置に設けた図示しない小孔にビス５１を挿入して前記各取付部１９の下端面に設けた図示しないねじ孔に螺合することで外装ケース構成部品１０の裏面側に取り付けられる。また取付支持板５０の前記外装ケース構成部品１０の支柱２１に対向する位置には、一対の取付突起２３を挿入する小孔からなる一対の取付孔５３が設けられており、取付支持板５０を外装ケース構成部品１０の裏面側に取り付けた際に前記一対の取付突起２３は前記一対の取付孔５３に挿入され取付支持板５０の下面から突出している。
【００１７】
以上のことから明らかなように、一部組立電子部品１は、外装ケース構成部品１０と取付支持板５０との間に、少なくともフレキシブル回路基板３０と、各操作釦１１，１３，１５，１７によって駆動される各種部品とが収納・設置されて構成されており、各操作釦１１，１３，１５，１７を回転操作またはスライド操作または押圧操作することによって前記フレキシブル回路基板３０の上面に形成した各種回路パターンの出力が変化し、その出力が前記リードアウト部３３のリードアウトパターン３５に取り出されるものである。
【００１８】
そして図１，図２に示すように、一部組立電子部品１（外装ケース構成部品１０）から外部に引き出したリードアウト部３３を、Ｌ状に屈曲している根本側の部分で折り返してリードアウト部３３の先端側の部分を根本側の部分の下側に重なるように配置し、その際、取付部３９を取付支持板５０の下面に位置（当接）させて取付支持板５０の下面から突出している一対の取付突起２３を取付部３９の一対の固定部４１に挿入し、各取付突起２３の先端を取付部３９の下面において熱かしめし、取り付ける。これによってリードアウト部３３は折り返されてそのリードアウトパターン３５を形成した面の上下を逆転させた姿勢に設置され、同時に少なくともリードアウト部３３の取付部３９を接続している部分より先端側の部分が一部組立電子部品１（外装ケース構成部品１０）よりも外方に突出して宙空に浮いた状態に設置される。
【００１９】
以上のように一部組立電子部品１は、リードアウト部３３の側辺３３ａから突出して設けた取付部３９を取付支持板５０（すなわち一部組立電子部品１）に取り付けたので、折り返したリードアウト部３３に元の形状に戻ろうとする弾性があっても、容易かつ確実にリードアウト部３３をその表裏を逆転させかつ所定の方向に向けた状態のまま設置・保持することができる。さらにフレキシブル回路基板３０のリードアウト部３３を宙空に浮いた状態に設置・保持することが容易かつ確実に行える。その際取付部３９はリードアウト部３３から突出して設けられているので、帯状のリードアウト部３３中に多数の回路パターンが形成されていてもこれら回路パターンを配線することに全く支障は生じない。またこの実施形態においては、外装ケース構成部品１０に一体成形した取付突起２３と、元々ある取付支持板５０を用いてリードアウト部３３の取付部３９を取り付けているので、別途特別に取付部３９を取り付けるためのスペースや部品を用いる必要がなく、その取り付けが簡易に行える。さらに言えば、この一部組立電子部品１は、少なくとも外装ケース構成部品（ケース）１０の下面側にフレキシブル回路基板３０を設置し、さらにその下面側に取付支持板５０を取り付けて構成されており、リードアウト部３３を折り返した状態でリードアウト部３３の取付部３９を取付支持板５０に当接させ、この当接した部分においてリードアウト部３３の取付部３９と取付支持板５０とを同一の取付手段（外装ケース構成部品１０の取付突起２３）によって同時に外装ケース構成部品１０に取り付けたので、１つの取付手段（取付突起２３）が、外装ケース構成部品１０への取付支持板５０の取り付けと、リードアウト部３３の取付部３９の一部組立電子部品１への取り付けとに兼用でき、構造の簡素化が図れ、組み立て工程の簡略化も図れる。なおこの実施形態では、取付手段として取付突起２３を熱かしめする手段を用いたが、ねじによって固定する方法など、他の各種取付手段を用いてもよい。また上記実施形態では取付突起２３の近傍においてもビス５１によって外装ケース構成部品１０と取付支持板５０間を固定しているが、取付突起２３によって両者は固定されるので、上記ビス５１による固定は省略してもよい。
【００２０】
リードアウト部３３の形状・構造には種々の変形が可能であり、またリードアウト部３３の折り返し方向も種々の変更が可能である。たとえば図５は折り返し方向を変えた本発明の他の実施形態にかかるリードアウト部３３−２を示す要部斜視図である。同図において前記図１〜図４に示す実施形態にかかるリードアウト部３３と同一又は相当部分には同一符号を付す。なお以下で説明する事項以外の事項については、前記図１〜図４に示す実施形態と同じである。すなわちこのリードアウト部３３−２のように、リードアウト部３３−２の折り返した後の先端が向く方向を、折り返す前のリードアウト部３３−２の先端が向く方向に向かって１８０°逆方向としてもよい（前記実施形態ではリードアウト部３３の折り返した後の先端が向く方向を、折り返す前のリードアウト部３３の先端が向く方向と平行で同一方向を向くように折り返している）。
【００２１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば本願発明のリードアウト部構造を適用する電子部品は、各種携帯機器用の電子部品に限られず、車載用ナビゲーションシステム、コンピュータ、各種ＯＡ機器、ゲーム機などのその他の各種電子機器用の電子部品であっても良い。また上記実施形態では一部組立電子部品１側に設けた取付突起２３を熱かしめすることでリードアウト部３３の取付部３９を取り付けたが、熱かしめ以外の各種手段によって取付部３９を一部組立電子部品１に取り付けてもよい。その他にも本発明を構成する各構成部品の形状・構造・機能などに種々の変更が可能であることは言うまでもない。
【図面の簡単な説明】
【００２２】
【図１】一部組立電子部品１の斜視図である。
【図２】一部組立電子部品１を下側から見た斜視図である。
【図３】リードアウト部３３を折り返す前の一部組立電子部品１の斜視図である。
【図４】リードアウト部３３を折り返す前の一部組立電子部品１を下側から見た斜視図である。
【図５】折り返し方向を変えたリードアウト部３３−２を示す要部斜視図である。
【符号の説明】
【００２３】
１  一部組立電子部品（電子部品）
１０  外装ケース構成部品（ケース）
２１  支柱
２３  取付突起
３０  フレキシブル回路基板
３３  リードアウト部
３３ａ，３３ｂ  左右両側辺
３５  リードアウトパターン
３９  取付部
４１  固定部
５０  取付支持板
【図１】
2010140985.tif 000003
【図２】
2010140985.tif 000004
【図３】
2010140985.tif 000005
【図４】
2010140985.tif 000006
【図５】
2010140985.tif 000007